(57)【特許請求の範囲】
【請求項１】
洗浄ホースを略円筒形の回転ハウジングの内周面に密着させて巻回し、前記洗浄ホースを使用時に回転ハウジング中心部と対向する位置に形成された括り出し孔から引き出し、また不使用時に該括り出し孔内に引き戻して前記回転ハウジングの内周面に密着巻回させて収納させるようにした洗浄ホース収納装置において、
前記括り出し孔と前記回転ハウジング中心部との間に、該洗浄ホースを前記回転ハウジングの内周面から前記括り出し孔へ案内するガイド手段を配設するとともに、該ガイド手段は、前記回転ハウジング中心部と前記括り出し孔との間に回動自在に支承されたパイプ軸と、該パイプ軸から分岐し、前記回転ハウジングの内周面へ向け湾曲形成されたガイドパイプとからなり、
また、前記回転ハウジング中心部と前記パイプ軸との間にクラッチ手段を配設し、該クラッチ手段は前記洗浄ホースの引き出し時に前記回転ハウジング中心部と前記パイプ軸との連動回転を解除するクラッチＯＦＦとなり、また前記洗浄ホースの引き戻し時に前記回転ハウジング中心部と前記パイプ軸とを連動回転させるクラッチＯＮとなることを特徴とする洗浄ホース収納装置。
【請求項２】
前記洗浄ホースは、ステンレスホースからなることを特徴とする請求項(1）記載の洗浄ホース収納装置。
【発明の詳細な説明】
【０００１】
【発明の属する技術分野】
この発明は、マンション、ビル等に配設された排水管等の配管設備を洗浄する排水管洗浄装置に関し、特に排水管洗浄装置に使用される洗浄ホースの駆動操作と、その収納を図る洗浄ホース収納装置に関する。
【０００２】
【従来の技術】
従来から排水管等の配管設備を洗浄するため、先端に高圧水を噴射する噴射孔を有するノズルを配設した、比較的剛体で湾曲しにくい例えばステンレスホースからなる高圧ホース（洗浄ホース）を使用し、これを排水管内に挿入して前記ノズルの噴射孔から噴射される高圧水により排水管内を洗浄させるようにした排水管洗浄装置が提供されている。
【０００３】
このような、排水管洗浄装置では、高圧ホースを不使用時にコンパクトに収納するとともに、使用時には排水管内にくくり出し、また排水管の洗浄時に当該排水管内で回転駆動させるための洗浄ホース収納装置が使用されている。
【０００４】
この従来の洗浄ホース収納装置１は、図８で示すように、比較的剛体で湾曲しにくい高圧ホース（洗浄ホース）２を内周面３ａに巻回収納する略円筒形（ドーナツ形）の回転ハウジング３と、この回転ハウジング３を回動自在に支承する駆動軸４とから構成されており、この駆動軸４は、パイプおよび板体等から構成されたフレーム５の軸受６に回動自在に支承されている。
【０００５】
また上述した回転ハウジング３の開口部３ｂには、略円錘形状のカバー７が配設され、その先端で当該回転ハウジング３と対向する位置には高圧ホース２を括り出す括り出し孔８が形成されている。
【０００６】
なお、この括り出し孔８には、高圧ホース２の括り出しをロックさせるロックボルト９が螺着されている。
【０００７】
また上述した駆動軸４の軸中心には洗浄液となる高圧水を案内する洗浄液案内通路４ａが形成されており、その先端部には、ホース連結ジョイント１１を介して高圧ホース２の後端２ａが連結されている。またこの洗浄液案内通路４ａの後端には連結ホースジョイント１２を介して図示せぬ高圧ポンプから供給される洗浄水を案内する洗浄液供給ホース１３の先端が連結されている。
【０００８】
このような洗浄液の案内構造によると、図示せぬ高圧ポンプから圧送される、洗浄液（矢印）は洗浄液供給ホース１３から駆動軸４の洗浄液案内通路４ａへ案内され、そこからホース連結ジョイント１１を介して高圧ホース２内へ案内されることとなる。
【０００９】
なお、上述した高圧ホース２の先端には周面に所定のピッチで噴射孔１４が穿設された周知のノズル１５が固着され、さらにこのノズル１５の先端にはこれも周知の自在ガイド１６が連結されている。なお、このノズル１５およびガイド１６の詳細構造は本願出願人が先に提出した特開昭６２−１６３７８９号を参照されたい。
【００１０】
なお、上述した高圧ホース２は例えばステンレスホースにより構成され、比較的剛体で湾曲しにくい性質をもっているから、回転ハウジング３内で巻回収納されると、直線形状の自然形状に戻ろうとする自己の弾発力により回転ハウジング３の内周面に密着した状態で巻回収納されることとなる。
【００１１】
一方、上述した洗浄ホース収納装置１には、回転ハウジング３を回転駆動させる図示せぬ駆動装置が配設され、その一部を構成する従動手段（従動プーリあるいは従動歯車）１７が回転ハウジング３と軸受６との間に固着されている。
【００１２】
なお、従動手段１７として従動プーリを使用した場合は図示せぬ手動の駆動プーリを有する駆動装置により回転ハウジング３が回転され、また従動手段１７として従動歯車を使用した場合は、図示せぬモータおよびその駆動軸に固着された駆動歯車からなる駆動装置を介して回転ハウジング３が回転される。
【００１３】
なお、このように回転ハウジング３を回転させると、その回転に従動して高圧ホース２も回転し、これにより排水管内でノズル１５が旋回して排水管内を洗浄することとなる。
【００１４】
上述した洗浄ホース収納装置１によると、図９で示すように、括り出し孔８のロックボルト９を緩め、その後、オペレータが矢印Ａで示すように、高圧ホース２を括り出し孔８から引き出しながら、ノズル１５を排水管２０内に嵌挿させ、さらに図示せぬ駆動手段を介して回転ハウジング３を一方向へ回転させると、ノズル１５が排水管２０内を螺旋状に旋回しつつ侵入し、その間に噴射孔１４から噴射される高圧水Ｃによって、排水管２０内に付着した固形物の汚れが剥離されて除去される。
【００１５】
また排水管２０内の洗浄作業が終了すると、オペレータは回転ハウジング３を他方向へ回転させつつ矢印Ｂで示すように高圧ホース２を引き戻して括り出し孔８内に押し込め、これにより高圧ホース２を回転ハウジング３内に収納するようにしていた。
【００１６】
【発明が解決しようとする課題】
ところで、上述した従来の洗浄ホース収納装置１によると、図９の矢印Ａで示すようにオペレータが高圧ホース２を括り出し孔８から引っ張ると、当該高圧ホース２の一部が自己の弾発力により回転ハウジング３の開口部３ｂや括り出し孔８の一部とに強い力で当接して負荷となり、このため高圧ホース２が括り出し孔８からスムーズに括り出しにくい難点があった。
【００１７】
また図９の矢印Ｂで示すように、オペレータが高圧ホース２を括り出し孔８内に高圧ホース２を押し込むと、図１０で示すように、当該高圧ホース２の一部が回転ハウジング３の内周面３ａの一部や駆動軸４の一部に当接するため、これが大きな負荷となり、このため高圧ホース２をスムーズに回転ハウジング３内に収納することができない難点もあった。
【００１８】
さらに、高圧ホース２を円滑に回転ハウジング３の内周面３ａに巻回させて収納するためには、回転ハウジング３を一方向に回転させつつ高圧ホース２を括り出し孔８内に押し込む作業が必要で、このため駆動装置により回転ハウジング３を回転操作する場合はオペレータによる高圧ホース２の収納作業は極めて面倒である難点もあった。
【００１９】
なお、この作業は駆動装置として手動のものを使用して回転ハウジング３を回転駆動する場合はその傾向は一層顕著となる。
【００２０】
この発明は上述した事情に鑑み、洗浄ホースの引き出しと収納作業が容易な洗浄ホース収納装置を提供することを目的とする。
【００２１】
【課題を解決するための手段】
上述した課題を解決するため、この発明では、洗浄ホースを略円筒形の回転ハウジングの内周面に密着させて巻回し、前記洗浄ホースを使用時に回転ハウジング中心部と対向する位置に形成された括り出し孔から引き出し、また不使用時に該括り出し孔内に引き戻して前記回転ハウジングの内周面に密着巻回させて収納させるようにした洗浄ホース収納装置において、前記括り出し孔と前記回転ハウジング中心部との間に、該洗浄ホースを前記回転ハウジングの内周面から前記括り出し孔へ案内するガイド手段を配設するとともに、該ガイド手段は、前記回転ハウジング中心部と前記括り出し孔との間に回動自在に支承されたパイプ軸と、該パイプ軸から分岐し、前記回転ハウジングの内周面へ向け湾曲形成されたガイドパイプとからなり、また、前記回転ハウジング中心部と前記パイプ軸との間にクラッチ手段を配設し、該クラッチ手段は前記洗浄ホースの引き出し時に前記回転ハウジング中心部と前記パイプ軸との連動回転を解除するクラッチＯＦＦとなり、また前記洗浄ホースの引き戻し時に前記回転ハウジング中心部と前記パイプ軸とを連動回転させるクラッチＯＮとなることを特徴としている。
【００２２】
【発明の実施の形態】
以下、この発明に係わる洗浄ホース収納装置の一実施例を詳述する。
【００２３】
図１はこの発明に係わる洗浄ホース収納装置３０を示す断面図で、図８と同一部分を同一符号で示す。
【００２４】
この洗浄ホース収納装置３０では、回転ハウジング３の中心を形成する駆動軸４の先端中心部４ｂと、略円錘形状のカバー７の中心に形成された括り出し孔８との間に洗浄ホース２を回転ハウジング３の内周面３ａから前記括り出し孔８へ案内するガイド手段３１が配設されている。なお、この実施例では高圧ホース２の絡みをできるだけ防止するため駆動軸４と同心状に円筒形の凸部１０が突設されている。
【００２５】
上述したガイド手段３１は、括り出し孔８に形成された凹部からなる軸受部８ａと、駆動軸４の先端中心部４ｂに形成された凹部からなる軸受部４ｃとの間に回動自在に支承された一本のパイプ軸３２と、このパイプ軸３２の先端、即ち括り出し孔８側から分岐し、回転ハウジング３の内周面３ａへ向け湾曲して形成されたガイドパイプ３３とから構成され、洗浄ホース２は、このガイドパイプ３３内を嵌挿して回転ハウジング３の内周面３ａから括り出し孔８内へ案内されている。
【００２６】
なお、上述したパイプ軸３２は、括り出し孔８の軸受部８ａと駆動軸４の軸受部４ｃとの間に、その軸方向へ沿って所定長のガタが設けられるように支承されており、さらに、駆動軸４の軸受部４ｃと、この軸受部４ｃに支承されるパイプ軸３２との間には凹部と凸部とが係合することによりクラッチＯＮとなり、また凹部と凸部との係合が解除されてクラッチＯＦＦとなるドッグクラッチ構造のクラッチ手段３５が形成されている。
【００２７】
次に、上述した洗浄ホース収納装置３０の作用を説明する。
【００２８】
図２で示すように、括り出し孔８のロックボルト９を緩め、その後、オペレータが矢印Ａで示すように、高圧ホース２を括り出し孔８から引き出すと、ガイド手段３１のガイドパイプ３３と内部に嵌挿した高圧ホース２との間に作用する若干の摩擦力により、当該ガイド手段３１のパイプ軸３２が矢印Ｄで示すように図面右方向へガタの分だけ移動し、これによりクラッチ手段３５がクラッチＯＦＦとなり、ガイド手段３１のパイプ軸３２が駆動軸４の軸受部４ｃと括り出し孔８の軸受部８ａとの間で回動自在となる。
【００２９】
その際、即ち高圧ホース２を括り出し孔８から引き出す際、高圧ホース２はガイド手段３１のガイドパイプ３３を介し、回転ハウジング３の内周面３ａから括り出し孔８へ向けて案内されるため、高圧ホース２がその他の部分に当たることもなく、このため高圧ホース２はスムーズに括り出し孔８から引き出され、そのため高圧ホース２の引き出し作業が極めて簡単となる。
【００３０】
また、さらに高圧ホース２を引き出すと、カバー７を除いた図２のＥＥ断面で示す図３および図４のように、さらなる高圧ホース２の引き出し作業に伴ってガイド手段３１のガイドパイプ３３およびパイプ軸３２が、引き出す対象の高圧ホース２の巻回方向（矢印Ｆ）に沿って回転するので、巻回された高圧ホース２は図４で示すように、回転ハウジング３の内周面３ａとガイドパイプ３３の先端３３ａとの間で引っ張られることもなくスムーズにガイドパイプ３３内に引き込まれることとなる。
【００３１】
なお、その間、図示せぬ駆動手段を介して回転ハウジング３を一方向へ回転させると、図２に示すように、ノズル１５が排水管２０内を螺旋状に旋回しつつ侵入し、その間に噴射孔１４から噴射される高圧水Ｃによって、排水管２０内に付着した固形物の汚れが剥離されて除去される。
【００３２】
一方、上述したノズル１５から噴射される高圧水（矢印Ｃ）による排水管２０の洗浄作業が終了した後、この高圧ホース２を回転ハウジング３内に収納する場合は、回転ハウジング３の回転を一旦停止させ、その後、図５で示すように、排水管２０内へ延出された高圧ホース２を矢印Ｂのように引き戻し、当該高圧ホース２を括り出し孔８内に押し込む。
【００３３】
すると、ガイド手段３１のガイドパイプ３３と内部に嵌挿した高圧ホース２との間に作用する若干の摩擦力により、当該ガイド手段３１のパイプ軸３２が矢印Ｇで示すように図面左方向へガタの分だけ移動し、これによりクラッチ手段３５がクラッチＯＮとなり、ガイド手段３１のパイプ軸３２と駆動軸４の軸受部４ｃとが係合する。
【００３４】
この状態で、カバー７を除いた図５のＨＨ断面で示す図６および図７のように、高圧ホース２をガイド手段３１のガイドパイプ３３を介して回転ハウジング３の内周面３ａへ押し込むと、その際、湾曲変形する高圧ホース２の弾発力により、ガイド手段３１のガイドパイプ３３およびパイプ軸３２は矢印Ｉのように回転し、同時にパイプ軸３２に連結された回転ハウジング３もパイプ軸３２の回転に連動して同一方向へ回転することとなる。
【００３５】
その際、即ち高圧ホース２を引き戻す際、高圧ホース２はガイド手段３１のガイドパイプ３３を介し、回転ハウジング３の内周面３ａへ押し込められるので、高圧ホース２がその他の部分に当たることもなく、このため高圧ホース２はスムーズに回転ハウジング３の内周面３ａへ押し込め収納されるとともに、同時に回転ハウジング３もパイプ軸３２の回転に連動して同一方向へ回転するので、高圧ホース２の収納作業の際に、駆動手段により回転ハウジング３を回転させる必要がなく、そのため高圧ホースの収納作業が極めて簡単となる。
【００３７】
【発明の効果】
以上説明したように、この発明では、洗浄ホースを回転ハウジング中心部から引き出し、また押し戻すことにより回転ハウジングの内周面に密着巻回させて収納させるようにした洗浄ホース収納装置において、括り出し孔と回転ハウジング中心部との間に、洗浄ホースを回転ハウジングの内周面から括り出し孔へ案内するガイド手段を配設するようにしたため、回転ハウジングからの洗浄ホースの引き出し作業と、引き戻す収納作業の際に、洗浄ホースが回転ハウジングの他の余計な部分に当たって、その進行を停止させることがなく、このため回転ハウジングからの洗浄ホースの引き出しおよび収納作業が極めて簡単となる。
【図面の簡単な説明】
【図１】図１はこの発明に関わる洗浄ホース収納装置の断面図。
【図２】図２はこの発明に関わる洗浄ホース収納装置の作用を示す断面図。
【図３】図３は図２のＥＥ概念断面図。
【図４】図４は図２のＥＥ概念断面図。
【図５】図５はこの発明に関わる洗浄ホース収納装置の作用を示す断面図。
【図６】図６は図５のＨＨ概念断面図。
【図７】図７は図５のＨＨ概念断面図。
【図８】図８は従来の洗浄ホース収納装置の断面図。
【図９】図９は従来の洗浄ホース収納装置の作用を示す概念断面図。
【図１０】図１０は従来の洗浄ホース収納装置の作用を示す概念断面図。
【符号の説明】
２…洗浄ホース（高圧ホース）
３…回転ハウジング
３ａ…内周面
８…括り出し孔
３０…洗浄ホース収納装置
３１…ガイド手段
３２…パイプ軸
３３…ガイドパイプ
３５…クラッチ手段
【図１】
0004281034.tif 000002
【図２】
0004281034.tif 000003
【図３】
0004281034.tif 000004
【図４】
0004281034.tif 000005
【図５】
0004281034.tif 000006
【図６】
0004281034.tif 000007
【図７】
0004281034.tif 000008
【図８】
0004281034.tif 000009
【図９】
0004281034.tif 000010
【図１０】
0004281034.tif 000011